(57)【要約】【課題】内股から股領域にかけてシール接合されないような装着感にすぐれたパンツ型使い捨ておむつを提供すること。【解決手段】本発明のパンツ型使い捨ておむつは、股及び脚部パネル、腹部パネル、サイドパネルからなり、内部には吸収パッドが収納されている。股及び脚部パネルは、１枚の矩形形状のパネル部材を、切込み、折り込むことにより分離した股領域と脚部領域とを有するように構成される。このため、本発明の使い捨ておむつにおいて、股から股領域にかけてシール接合が存在せず、装着感にすぐれたものである。【選択図】          図９
2004159949.tif 000002
【特許請求の範囲】
【請求項１】
第１のパネルと該第１パネルの上側に位置する第２のパネルとから形成されるトランクス型使い捨ておむつであって、
前記第１のパネルは、着用者の前後股及び脚部の一部に対応する領域を形成するようにほぼ矩形形状の１枚のパネル部材から立体的に組み立てられており、前記第２のパネルは、着用者の前後腰部に対応する領域を形成するように少なくとも１枚のパネル部材からなり、
前記第１パネルにおいて、前記股部と脚部との上側分離領域として、前記第１パネルの上側長手方向に延びる両端部の所定の位置から前記第１パネル上の所定の終了点までそれぞれ左右対称に２つずつ切込みが形成されており、前記第１パネルの下側の股部と脚部の付け根領域として、前記第１パネルの幅方向に対向する前記切込みの２つの終了点を結ぶ線を底辺として、前記第１パネルの内方に形成される三角形の各辺に沿って前記第１パネルの内側に折り込み領域が左右対称に２つ形成されており、
前記第２のパネルは、前記第１パネルの上側に配置され組合されるような形状を有するものであることを特徴とするトランクス型使い捨ておむつ。
【請求項２】
前記第１及び第２パネルが結合されるときに、前記第１パネルの上側の長手方向に延びる両端部の前記第２パネルが結合される部分と、前記第２パネルの前記第１パネルと結合される下側端部とが接合されることを特徴とする請求項１に記載のトランクス型使い捨ておむつ。
【請求項３】
第１のパネルと、該第１パネルの上側に位置する第２のパネルと、少なくとも前記第１パネルの両側部を結合する第３のパネルとからなるトランクス型使い捨ておむつであって、
前記第１のパネルは、着用者の前後股及び脚部の一部に対応する領域を形成するようにほぼ矩形形状の１枚のパネル部材から立体的に組み立てられており、前記第２のパネルは、着用者の腰部に対応する領域を形成するように少なくとも１枚のパネル部材からなり、前記第３のパネルは着用者の両脇側部に対応する領域を形成するように２枚のパネル部材からなり、
前記第１パネルにおいて、前記股部と脚部との上側分離領域として、前記第１パネルの上側長手方向に延びる両端部の所定の位置から前記第１パネル上の所定の終了点までそれぞれ左右対称に２つずつ切込みが形成されており、前記第１パネルの下側の股部と脚部の付け根領域として、前記第１パネルの幅方向に対向する前記切込みの２つの終了点を結ぶ線を底辺として、前記第１パネルの内方に形成される三角形の各辺に沿って前記第１パネルの内側に折り込み領域が左右対称に２つ形成されており、
前記第２のパネルは、前記第１パネルの上側に配置され組合されることができるような形状になっており、
前記第３のパネルは、着用者の両脇側部に対応する、前記おむつの両側部の少なくとも一部を構成するような形状を有するものであることを特徴とするトランクス型使い捨ておむつ。
【請求項４】
前記第１パネルの上側の長手方向に延びる両端部と、前記第２パネルの前記第１パネルと結合される側の下側端部とが接合され、前記第１パネルの幅方向に延びる両端部と前記第３パネルの着用者の側部側両端部とがそれぞれ接合されているものであることを特徴とする請求項３に記載のトランクス型使い捨ておむつ。
【請求項５】
前記第１パネルの上側の長手方向に延びる両端部と、前記第２パネルの前記第１パネルと結合される側の下側端部とが接合され、前記第１パネルの幅方向に延びる両端部と、前記各第２パネルの着用者の側部側両端部と前記第３パネルの着用者の側部側両端部とがそれぞれ接合されているものであることを特徴とする請求項３に記載のトランクス型使い捨ておむつ。
【請求項６】
吸収パッドが前記第１パネルから前記第２パネルの一部にかけて配置され、前記吸収パッドが前記使い捨ておむつに内装されるようになっていることを特徴とする請求項１または３に記載のトランクス型使い捨ておむつ。
【請求項７】
前記第１パネルの着用者の脚部に対応する領域の少なくとも一部に脚部用弾性体が少なくとも１本設けられるようになっていることを特徴とする請求項１または３に記載のトランクス型使い捨ておむつ。
【請求項８】
折り込まれることにより形成された前記三角形状の領域が、前記第１パネルの前記股領域において、立体ギャザーとして機能するフラップとなるものであることを特徴とする請求項１または３に記載のトランクス型使い捨ておむつ。
【請求項９】
前記フラップの頂部には前記脚部弾性体の一部が位置することにより、使用時において前記フラップの起立性が保持されるものであることを特徴とする請求項８に記載のトランクス型使い捨ておむつ。
【請求項１０】
前記第２のパネルの幅方向にわたり、少なくとも１本の弾性体が設けられていることを特徴とする請求項１または３のいずれかに記載のトランクス型使い捨ておむつ。
【請求項１１】
ほぼ矩形形状の１枚のパネル部材からなる第１パネルと、該第１パネルの上側に位置する少なくとも１枚のパネル部材からなる第２のパネルと、前記第１パネルから第２パネルにわたりこれらの内側に内装される吸収パッドとからなるトランクス型使い捨ておむつを形成する方法であって、
前記吸収パッドを組み立て、
前記第１のパネルを該パネルの長手方向に延びる両端部の所定の位置から、前記第１パネルの長手方向中心線に沿って切込みを前記第１パネルの左右対称に４つ形成する段階と、
前記第１パネルにおいて、前記切込みにより形成された４つの切込み線のうち、第１の切込み線の前記中心線側の第１の終了点と、前記第１パネルの幅方向に対向する第２の切込み線の前記中心線側の第２の終了点とを結ぶ線を底辺とする第１の三角形を形成するように前記中心線上に該三角形の頂点を求め、前記第１の三角形の３つの辺からなる折り込み線を形成し、
前記第１パネルにおいて、前記切込みにより形成された４つの切込み線のうち第３の切込み線の前記中心線側の第３の終了点と、前記第１パネルの幅方向に対向する第４の切込み線の前記中心線側の第４の終了点とを結ぶ線を底辺とする第２の三角形を形成するように前記中心線上に該三角形の頂点を求め、前記第２の三角形の３つの辺からなる折り込み線を形成する段階と、
前記第１パネルを２つ折りし、前記切込みに沿って前記長手方向に延びる端部を分離しながら、前記第１及び第２の三角形状の折り込み線に沿って前記第１パネル内側に折り込んで、前記第１パネルを着用者の前後股及び脚部に対応する立体的な股及び脚部パネルとして形成する段階と、
該股及び脚部パネルの２つ折りされて形成された端部とは反対側の端部の上側に腹部パネルとして機能する前記第２パネルを配置し、これらを接合する段階と、
からなる方法。
【請求項１２】
ほぼ矩形形状の１枚のパネル部材からなる第１パネルと、該第１パネルの上側に配置される少なくとも１枚のパネル部材からなる第２のパネルと、少なくとも前記第１パネルを結合するように配置される２枚のパネル部材からなる第３のパネルと、前記第１パネルから前記第２パネルにかけて配置されるようになった吸収パッドとからなるトランクス型使い捨ておむつを形成する方法であって、
前記吸収パッドを組み立て、
前記第１のパネルを該パネルの長手方向に延びる両端部の所定の位置から、前記第１パネルの長手方向中心線に沿って切込みを前記第１パネルの左右対称に４つ形成する段階と、
前記第１パネルにおいて、前記切込みにより形成された４つの切込み線のうち、第１の切込み線の前記中心線側の第１の終了点と、前記第１パネルの幅方向に対向する第２の切込み線の前記中心線側の第２の終了点とを結ぶ線を底辺とする第１の三角形を形成するように前記中心線上に該三角形の頂点を求め、前記第１の三角形の３つの辺からなる折り込み線を形成し、
前記第１パネルにおいて、前記切込みにより形成された４つの切込み線のうち第３の切込み線の前記中心線側の第３の終了点と、前記第１パネルの幅方向に対向する第４の切込み線の前記中心線側の第４の終了点とを結ぶ線を底辺とする第２の三角形を形成するように前記中心線上に該三角形の頂点を求め、前記第２の三角形の３つの辺からなる折り込み線を形成する段階と、
前記第１パネルを前後２つ折りし、前記切込みに沿って前記長手方向に延びる端部を分離しながら、前記第１及び第２の三角形状の折り込み線に沿って前記第１パネル内側に折り込んで、前記第１パネルを着用者の前後股及び脚部に対応する立体的な股及び脚部パネルとして形成する段階と、
該股及び脚部パネルの２つ折りされて形成された端部とは反対側の端部の上側に、腹部パネルとして機能する前記第２パネルを前記股及び脚部パネルの前後に位置するように配置し、
着用者の脇側部に対応する前記おむつの両側部の少なくとも一部となるように、前記第２のパネルが１枚である場合には、前記第２パネルが前記第１パネルの上側に配置された状態で、前記第３のパネルの各々を前記第１パネルの脚部領域側の分離している両側端部に位置するように配置し、前記第２パネルが複数である場合には、前記第２パネルが前記第１パネルの上側に配置された状態で、前記第３のパネルのそれぞれを、前記第１パネルの脚部領域側の分離している両側端部と、該両側端部に連続する前記第２パネルの両側部に位置するようにそれぞれ配置し、第１、第２及び第３のパネルを接合する、
段階からなる方法。
【請求項１３】
前記紙おむつの脚部の一部にギャザーを形成するように前記第１パネルの所定の位置に脚部弾性体を少なくとも１本設ける段階を含んでおり、前記脚部弾性体の一部が前記三角形の折り込み線により折り込まれた領域の頂部に位置するようになることを特徴とする請求項１１または１２のいずれかに記載の方法。
【請求項１４】
着用者の胴部における前記紙おむつのフィット性を向上させるように、前記第２パネルの幅方向に弾性体を少なくとも１本設ける段階を含むことを特徴とする請求項１１または１２に記載の方法。
【発明の詳細な説明】
【０００１】
【発明の属する技術分野】
本発明は使い捨て吸収性物品に関する。より詳細には、本発明は、内股から股部にかけて接合部のないトランクス型の使い捨ておむつに関する。
【０００２】
【従来の技術】
乳幼児用紙おむつ、幼児用トイレットトレーニング用パンツ、成人用紙おむつまたは失禁用パッドといった様々な使い捨て吸収性物品が広く使用されるようになるに従い、用途に応じて様々な改善が施されてきている。なかでも、高齢化社会に伴い、成人用紙おむつの需要が高まってきている。このような社会状況を反映して、最近では、いわゆる紙おむつの形態をとらないような、例えばパンツ型の使い捨ておむつが考案されてきている。このようなパンツ型の紙おむつは、紙おむつが必要ではあるが、日常生活動作（ＡＤＬ）の高い人達のために採用されている。
【０００３】
さらに、このパンツ型の紙おむつにおいて、着用時の脚部からの漏れを減少させたり、防止するために図１に図示するような被覆部分の多いトランクス型の使い捨ておむつが考案されてきている。しかし、図１に図示する従来の使い捨ておむつでは、おむつの前後部分を接合するために内股部分から股領域にわたり、及び／または側部領域において、太線で示すような接合部分が形成されている。しかし、このような接合部分は一般的にかなり固く、着用時には着用者の皮膚にあたるので着用感が悪化したり、または皮膚に刺激を与えることも多い。
【０００４】
また最近では、内部は紙おむつであるが、この紙おむつをトランクス型のカバーで被覆するようになったトランクス型紙おむつ（特許文献１参照）が考案されている。特許文献１に開示された使い捨ておむつは、おむつ本体と該おむつ本体を被覆するようになったトランクス型のカバーとから構成されている。しかし、特許文献１のおむつは、該おむつの両側縁部および股領域において接着材または熱溶着により接合部分が形成されている。従って、この特許文献１に記載された発明のトランクス型紙おむつも、着用時にはこのような固い接合部分が着用者に不快感を与えたり、皮膚に刺激を与えることが懸念される。
【０００５】
【特許文献１】
特開平１１−２０６８０８号公報
【０００６】
【発明が解決しようとする課題】
本発明は、上述した先行技術の欠点を改善するためになされたものであり、従来の使い捨ておむつのように接合部分が、特に着用者の内股から股にかけた皮膚にあたり、着用者に不快感を与えたり、皮膚に刺激を与えるといった欠点を軽減できるようなトランクス型使い捨ておむつを提供するものである。
【０００７】
さらに、本発明の目的は、排泄物の漏れを防ぐように複数の立体ギャザーが形成されるようになったトランクス型の使い捨ておむつを提供するものである。
【０００８】
また、本発明の目的は、トランクス型使い捨ておむつの股及び脚部領域のうち、脚部領域には所定の位置に弾性体が設けられており、排泄物の横漏れを防ぐようになったトランクス型紙おむつを提供することである。
【０００９】
本発明のさらなる目的は、トランクス型の使い捨ておむつを容易な手段によって、低コストで製造できるようなトランクス型使い捨ておむつの製造方法を提供するものである。
【００１０】
【課題を解決するための手段】
上記課題を解決するために、本発明のトランクス型使い捨ておむつは、第１のパネルと該第１パネルの上側に位置する第２のパネルとから形成される。第１のパネルは、着用者の股及び脚部の一部に対応する領域を形成するように立体的に組み立てられるほぼ矩形形状の１枚のパネル部材からなり、第２のパネルは、着用者の腰部に対応する領域を形成するように少なくとも１枚のパネル部材からなる。第１パネルにおいて、股部と脚部との分離領域を第１パネルの上側に左右対称に形成できるように、第１パネルの上側長手方向に延びる両端部の所定の位置から第１パネル上の所定の終了点までそれぞれ左右対称に２つずつ切込みが形成されており、股部と脚部の付け根領域を第１パネルの下側に形成できるように、第１パネルの幅方向に対向する前記切込みの２つの終了点同士を結ぶ線に沿って第１パネルの内部側に、終了点同士を結ぶ線を底辺とする三角形状に折り込まれた領域が左右対称に２つ形成されるようになっている。第２のパネルは、第１パネルの上側に配置されるように組合されたときに第１パネルの形状に一致するような形状であることが好ましい。第２のパネルは１枚であってもよいし、２枚から構成されていてもよい。このように組み立てられる本発明の使い捨ておむつにおいて、第１パネルの上側の長手方向に延びる両端部と、第２パネルの第１パネルと結合される側の下側端部とが接合されるようになっている。
【００１１】
本発明の別の実施例において、本発明の使い捨ておむつは、第１のパネルと、該第１パネルの上側に位置する第２のパネルと、少なくとも第１のパネルの側部を結合するようになった第３のパネルとからなる。第３のパネルは、着用者の両側部に対応する領域を形成するような２枚のパネルであり、おむつの両側部を構成するように、少なくとも第１パネルを、または第１パネルと第２のパネルとを接続するような形状となっている。この実施例における使い捨ておむつを組み立てると、接合部分は、第１パネルの上側の長手方向に延びる両端部と、第２パネルの前記第１パネルと結合される側の下側端部に形成される。また、第１パネルの幅方向に延びる両端部と、第２パネルの着用者の側部側両端部と前記第３パネルの着用者の側部側両端部とがそれぞれ接合される。従って、接合部は、内股から股領域には形成されず、着用者に影響を及ぼさない領域にのみ形成されることになる。
【００１２】
本発明の使い捨ておむつにおいて、吸収パッドが第１パネルから第２パネルの一部にかけて内装されるようになっていることが好ましい。
【００１３】
本発明の使い捨ておむつにおいて、第１パネルの着用者の脚部に対応する領域の少なくとも一部に脚部用弾性体が少なくとも１本設けられ、第２のパネルの幅方向にわたり少なくとも１本のウエスト用弾性体が設けられるようになっていることが好ましい。
【００１４】
本発明の使い捨ておむつにおいて、三角形状に折り込まれることにより形成された領域が、第１パネルの股領域において、立体ギャザーとして機能するフラップとなる。このような場合、フラップの頂部に脚部弾性体の一部が存在するようになり、脚部弾性体が立体ギャザーの起立性を保持するようになっている。
【００１５】
本発明の使い捨ておむつを形成する方法は、吸収性パッドを組み立て、第１のパネルの長手方向に延びる両端部の所定の位置から、長手方向中心線方向に、第１パネルの幅方向に延びる端部に向かって切込みを左右対称に２つ形成する段階と、第１パネルにおいて、切込みにより形成された４つの切込み線のうち第１の切込み線の中心線側の第１の終了点と、第１パネルの幅方向に対向する第２の切込み線の中心側の第２の終了点とを結ぶ線を底辺とする第１の三角形を形成するために中心線上に該三角形の頂点を求め、第１の三角形の３つの辺からなる折り込み線を形成する段階と、第１パネルにおいて、切込みにより形成された４つの切込み線のうち第３の切込み線の中心線側の第３の終了点と、第１パネルの幅方向に対向する第４の切込み線の中心側の第４の終了点とを結ぶ線を底辺とする第２の三角形を形成するために前記中心線上に該三角形の頂点を求め、前記第２の三角形の３つの辺からなる折り込み線を形成する段階と、第１パネルを前後２つ折りし、切込み線に沿ってパネルを分離しながら、第１及び第２の三角形の辺からなる折り込み線に沿って折り込んで、第１パネルを股及び脚部パネルとして形成する段階と、股及び脚部パネルの２つ折りされた端部とは反対側の上側端部に腹部パネルとして機能するように第２パネルを配置し、これらを接合する段階からなる。
【００１６】
本発明の別の実施例において、上記の段階からなる本発明の使い捨ておむつを形成する方法において、第２パネルを第１パネル上に配置した後、第３のパネルを第１パネルと第２パネルの一方と、第１パネルと第２パネルの他方との間に、使い捨ておむつの側部に位置するように、おむつの高さ方向にわたり配置し、これらを接合する、段階を含んでいればよい。
【００１７】
【発明の実施の形態】
本発明の好ましい実施の形態について図面を参照しながら以下に説明する。以下の説明において、図面を通し同一の構成部には同一の符号を使用する。
【００１８】
図２は、本発明の第１実施例のトランクス型使い捨ておむつ１を概略的に表した図である。トランクス型使い捨ておむつ１は、股及び脚部パネル３と腹部パネル５と吸収パッド７とから構成されている。
【００１９】
図３は、股及び脚部パネル３の展開図である。股及び脚部パネル３はほぼ矩形形状の一枚のパネル部材からなる。後に組み立てられるとパネル３の上側は本発明のウエスト側となり、下側がおむつの股下側となる。図３に図示するように、パネル部材３の長手方向に延びる対向しあう２つの端部、すなわち長辺１３、１５の所定の位置Ｐ、Ｑ、Ｐ´、Ｑ´から実線で示す切込み線９が対称的に２本ずつ形成される。従って、パネル部材３には全部で４本の切込み線９が形成されることになる。切込み線９は、長辺１３、長辺１５において、各長辺１３、１５の所定の左右対称となる位置Ｐ、Ｑ、Ｐ´、Ｑ´からそれぞれ始まり、パネル部材３の長手方向中心線１１方向に、パネル部材３の幅方向に延びる２つの端部１７、１９に向かって斜線状にパネル部材３の中心線１１に及ばない所定の位置で終了している。切込み線９はパネル３の幅方向においても、つまり上下方向においても対称に形成されている。この切込み線９の４つの終了位置をそれぞれ最終点ａ、ａ´、ｂ、ｂ´とする。線ａｂ、ａ´ｂ´をそれぞれ底辺とする三角形を形成するように、最終点ａ、ａ´、ｂ、ｂ´から所定の角度をもって中心線１１と交わる点を三角形の頂点としてｃ、ｃ´を定め、対称的な２つの合同の三角形ａｂｃ、ａ´ｂ´ｃ´を形成する。後に組み立てられると線ｃ−ｃ´部分が股領域となるために頂点ｃ、ｃ´は所定の距離をあけて設定しなければならない。図３において、三角形ａｂｃ、ａ´ｂ´ｃ´は破線で示されている。このようにして形成された２つの三角形のそれぞれの辺ａｂ、ａｃ、ｂｃ、ａ´ｂ´、ａ´ｃ´、ｂ´ｃ´がパネル部材３を股及び脚部パネルとして構成するときの折り込み線となる。図３において、ａｂ、ａｃ、ｂｃ、ａ´ｂ´、ａ´ｃ´、ｂ´ｃ´を以下の説明においてわかりやすくするためにそれぞれ２１、２５、２７、２１´、２５´、２７´とする。このようにして、切込み線９と折り込み線が形成されたパネル３において、後にパネル３が組み立てられたとき、４つの切込み線９と辺２１、２１´及び線ＰＱ、Ｐ´Ｑ´とによりパネル３の中央に形成された８角形が股部に相当する領域となるが、三角形ａｂｃ、ａ´ｂ´ｃ´はパネル３の内側に折り込まれるため股部におけるフラップとなる。従って、パネル３の中央に形成された８角形領域以外の領域が脚部に相当する領域となる。この脚部領域は、パネル３において股部領域により分離され左右対称の形状を有する。
【００２０】
パネル３の寸法は、成人用として使用できるように、股領域と脚部領域とを構成できるような大きさであればよい。場合によっては、パネル３の寸法はいくつかの着用者のサイズに対応できるように複数の寸法を有するものであってもよい。また、本発明のトランクス型紙おむつは成人用としてのみではなく、幼児用としても使用可能であるので、パネル３の寸法はそれぞれの用途に応じて設計変更可能である。またパネル３は、本分野において公知であるような材料の不織布、フィルムまたはこれらの組合せから構成されていればよい。また、パネル３は、単層構造または複層構造であってもよい。パネル３の材料及び構造は公知であるので本明細書ではこれ以上説明しない。
【００２１】
図４（ａ）は、図３と同様にパネル部材３の展開図である。図４（ａ）に図示したパネル３は、組み立てられたときに着用者の内股及び／または脚部に対応する領域となる位置に複数の脚部弾性体３３、３５を設けたことを除けば、図３に図示したパネル３の構造、材料ともに同一である。脚部弾性体３３が、折り込み線２１、２１´に極めて隣接した位置に、パネル３の幅方向にわたり１本設けられている。この弾性体３３は、後にパネル部材３が組み立てられて股及び脚部パネルとして機能するときに、着用者のほぼ脚部の付け根あたりに対応する位置に配置されるようになる。また、後述するが、三角形ａｂｃ、ａ´ｂ´ｃ´が内部に折り込まれるときに、線２１、２１´が立ち上がるとともに弾性体３３も立ち上がるので、２つの三角形により形成されるフラップの頂部に弾性体３３が位置することになり、フラップの起立性を維持することになる。弾性体３３は、１本に限られることなく、複数本設けられるようになっていてもよいが、弾性体の数を多くしすぎると着用者の着用部を圧迫することも考えられるので弾性体の強度などを考慮して設けることが好ましい。また、別の脚部弾性体３５が、パネル３の幅方向に延びる両端部１７、１９の近傍位置に、パネル３の幅方向にわたり設けられている。本実施例において弾性体３５は２本設けられているが、２本に限定されるものではなく、１本でもよいし、２本以上であってもよい。弾性体３５は、パネル部材３が後に組み立てられて股及び脚部パネルとなったときに、着用者の太ももに対応する位置に配置されるようになる。また、弾性体３３、３５は本実施例において、直線状に形成されているがもちろん曲線状に形成されていてもよいし、複数の弾性体が平行に、または平行ではない配列により取りつけられていてもよい。このように弾性体が設けられたパネル３が組み立てられたとき着用者の脚部付け根部分および太もも部分あたりにギャザーが形成され、人体排出物の横漏れを防止できるようになっている。本実施例においては弾性体３３と３５がそれぞれの付け根あたりと、脚部領域の下側あたりに位置するように取り付けられているが、脚部弾性体を取り付ける位置は脚部領域のいずれの位置であってもよいし、いずれか一方の位置にのみ取り付けるようになっていてもよい。
【００２２】
弾性体３３、３５に適する材料は、一般的なエラストマー性ポリマー材料からなるストランド、又はリボン、あるいはポリウレタン、合成ゴム、天然ゴムなどがあるが、これらは当業者に公知であるので本明細書においては詳細に記載しない。弾性体３３、３５をパネル３に取りつける方法としては、本分野において公知のように超音波結合されてもよいし、様々な結合パターンを使用したホットメルト接着剤などにより結合してもよいが、ホットメルト接着剤により接合することが好ましい。
【００２３】
図５（ａ）、（ｂ）に腹部パネル５の１実施例を表す。腹部パネル５は着用者の腹部に対応するパネルである。本実施例において腹部パネル５はほぼ矩形形状の１枚のパネルから構成されており、組立て時には着用者の腹部を含む前後腰部に対応する位置となり、着用者の腹部を覆うように、股及び脚部パネル３のおむつのウエスト側となる上側に配置される。この場合、腹部パネル５は、パネル３の股領域を覆い被さるようになっている。腹部パネル５の形状は、図５（ａ）のように矩形形状であってもよいが、図５（ｂ）のように股及び脚部パネル３の上側においてパネル３と組合せることができるような形状であることが好ましい。
【００２４】
図５（ｃ）は、腹部パネルの別の実施例を表す図である。図５（ｃ）に図示した腹部パネルは２枚のパネル部材４７、４９から構成されている。図５（ｃ）の２枚の腹部パネル４７、４９は、股及び脚部パネル３の、おむつのウエスト側となる上側前後に位置し、着用時には着用者の腹部と背部とを覆うことができるようになっている。腹部パネル４７、４９の形状は、パネル３の股領域を覆うように矩形形状であってもよいが、図５（ｃ）のように股及び脚部パネル３と組み合わせることができるような形状であればより好ましい。
【００２５】
腹部パネル５、４７、４９の材料は、股及び脚部パネル３と同じように一般的な不織布であればよく、単層構造または複層構造であってもよい。このような材料は本分野において公知であるので、本明細書においては詳細に説明しない。
【００２６】
図５（ｄ）に図示するように腹部パネル５、４７、４９のそれぞれには腹部弾性体５１が設けられていることが好ましい。図５（ａ）、（ｂ）に図示した１枚の腹部パネル５の場合には、着用者の腹部および胴周囲まわりにわたり１本か、それ以上の弾性体が設けられていればよい。図５（ｃ）に図示したパネル４７、４９の場合にも同様にパネル横方向にわたり、１本か、それ以上の弾性体が設けられていればよい。このような腹部パネルの弾性体はおむつのウエスト及びフィットギャザーを形成するためのものである。従って、腹部パネルに弾性体５１を設けることにより、着用者に対しおむつのフィット性を向上させるとともに、ウエスト部分にもギャザーが形成されるので着用者のウエスト部分からの漏れなどを防ぐことができるようになる。腹部弾性体は、本実施例においては腹部パネルの胴周囲まわりにおよんで形成されているが、腹部パネルの一部にのみ形成されてもよいし、あるいは断続的に形成されていてもよい。
【００２７】
弾性体５１に適する材料は、脚部弾性体３３、３５と同様に、一般的なエラストマー性ポリマー材料からなるストランド、又はリボン、あるいはポリウレタン、合成ゴム、天然ゴムなどから選択すればよい。弾性体５１を腹部パネル５、４７、４９に取りつける方法としては、本分野において公知のように超音波結合により結合してもよいし、様々な結合パターンを使用したホットメルト接着剤などにより結合してもよいが、ホットメルト接着剤により接合することが好ましい。
【００２８】
弾性体５１は、図５（ｄ）においては、ほぼ均一な間隔をおいて平行な複数の直線状のストランドから構成されているが、よりギャザーを形成したい領域にはストランドの幅を狭くし弾性体を多く設けたり、ギャザー領域が不用な領域には配置しないといった不規則な間隔により構成してもよいし、あるいは、曲線状、波形状といった様々なパターンで配列することも可能である。
【００２９】
本発明のトランクス型使い捨ておむつにおいて、第３のパネルとしてサイドパネルを採用することも可能である。図６（ｃ）を参照すると、１実施例としてサイドパネル５３が図示されている。図６（ｃ）は、図５（ｃ）に図示した２枚の腹部パネル４７、４９を使用した場合を示すものであり、サイドパネル５３は、最終的に着用者の脇側に対応する位置に配置されるよう股及び脚部パネル３と腹部パネル４７、４９とを使い捨ておむつの側部側において結合することができるような形状であればよい。
【００３０】
図６（ａ）は、図５（ａ）に図示した腹部パネル５を使用した場合を示すものであり、サイドパネル５３は、使い捨ておむつの側部となる股及び脚部パネル３の脚部側に配置され、パネル３を結合するようになっている。
【００３１】
図６（ｂ）は、図５（ｂ）に図示したパネル５を使用した場合を示すものであり、図５（ａ）の場合と同様に、サイドパネル５３は、使い捨ておむつの側部となる股及び脚部パネル３の脚部側に配置され、パネル３を結合するようになっている。これらの実施例においては、サイドパネル５３の材料は、その他のパネルと同一の材料でもよいが、通気性を有し、長さ方向及び幅方向に伸縮性を有するような材料であればより好ましい。サイドパネル５３の幅方向の寸法は、股及び脚部パネル３と腹部パネル４７、４９とをそれぞれ接続するのに最適な寸法を選択することができる。
【００３２】
サイドパネル５３を本発明の使い捨ておむつに採用することの利点は、サイドパネル５３の選択される材料の特性により、着用者に対し通気性を与えること、所定の範囲で着用者の脚部周りや腹部周りを調整可能とすることにある。従って、腹部パネルと股及び脚部パネルとを組合せただけの場合よりは、サイドパネルを腹部パネルと股及び脚部パネルとを接合する手段として用いた場合の方が、腹部や脚周りにおいておむつの調整が容易となるとともに、おむつの装着感が向上し、排泄物または汗などによる蒸れを防止することができる。
【００３３】
本発明のトランクス型使い捨ておむつは吸収パッド７を内装している。図７（ａ）は本発明の使い捨ておむつの吸収パッド７の平面図であり、図７（ｂ）は、図７（ａ）のＸ‐Ｘ線に沿った断面図である。吸収パッド７は通常のトランクス型使い捨ておむつに内装されているような一般的な吸収性を有するパッドであればよい。すなわち、吸収パッド７は、不織材またはフィルムからなる液体透過性トップシート３９と液体不透過性バックシート４１及びこれらの間に配置される吸収体４３とからなることを基本構成とする。本実施例における吸収パッド７の形状はほぼ矩形形状であるが、これに限定されるものではなく、Ｔ字形状、Ｉ字形状など様々な形状から選択することができる。
【００３４】
液体透過性トップシート３９は、着用者の皮膚に面する側となるので柔らかな感触で、着用者の皮膚に刺激を与えないような材料から形成されていることが好ましい。また、着用者の排出物を吸収体４３へ移すことが容易であるように、そして着用者に対し乾燥した表面を呈するように、吸収体４３よりも親水性が小さく、多孔性の液体透過性であることが好ましい。表面シート３９が疎水性材料から形成される場合には、界面活性剤で処理するなどの方法により親水性をあたえるようにしてもよい。また、トップシート３９は、吸収体４３に吸収され保持されている液体から皮膚を隔離するようになっていればよい。なお、トップシート３９に使用される材料は、本分野において公知であるように、多孔性発泡体、網状発泡体、穿孔プラスチックフィルム、木材又は綿繊維のような天然繊維などのウェブ材料から形成されていればよい。
【００３５】
パッド７の吸収体４３は、一般的に超吸収性材料として既知である高吸収性材料の粒子と混合された、木材パルプフラフのようなセルロースフラフのウェブの親水性繊維マトリックス、超吸収性粒子およびキャリヤシートから構成されていればよい。超吸収性粒子は、親水性繊維と均一に混合されていてもよいし、不均一に混合されていてもよい。このような吸収体は本分野において公知であるので本明細書において、これ以上詳細には記載しない。吸収体４３の形状は身体にフィットしやすいように砂時計形状が好ましいが、これに限定されるものではなく、Ｉ字形状、犬の骨型など様々な形状を採用することも可能である。
【００３６】
パッド７のバックシート４１は、吸収体４３内において保持している液体などが股及び脚部パネルを通って下着に洩れないように防水機能を有するように、液体に対し不透過性である材料から形成されていることが好ましい。通常、このような液体不透過性のバックシート４１は、ポリエチレンフィルムなどの薄いプラスチックフィルムや、これとは別の可撓性液体不透過性材料から製造することができる。このようなバックシートの材料は、本分野において公知であるのでこれ以上詳細に記載しない。
【００３７】
本発明の吸収パッド７において、トップシート３９と吸収体４３との間にトランスファシートが設けられていてもよい。トランスファシートは、トップシートから吸収体へ液体を搬送、すなわち移動しやすくするとともに、吸収体に一旦吸収された液体が表面シートに逆戻りしないように機能するものである。
【００３８】
また、吸収パッド７の長手方向に延びる端部と吸収体４３との間にはそれぞれ弾性体が設けられており、股領域においてギャザーを形成し、排泄物の漏れを防ぐようになっている。本実施例において、弾性体の数は１本であるように図示されているが、複数本配置されてもよい。さらに、本実施例において、吸収性パッド７に立体ギャザーが形成されるように構成されていてもよい。すなわち、バックシートに不織布からなるバリヤシートを熱的に結合し、バリヤシートの内側端部に弾性体を設ることにより、使用時にはバリヤーシートが立体的なギャザー３７を形成するものとなる。このような立体ギャザー３７は本分野において公知であるので、本明細書において詳細に記載しない。立体ギャザー３７を設けることにより、人体排出物の漏れなどを防ぐことをより確実にできるようになる。
【００３９】
次に、股及び脚部パネル３と腹部パネル５と吸収パッド７とを使って本発明のトランクス型使い捨ておむつを製造する手順を説明する。
【００４０】
先ず、上述したような構成による内装用吸収パッド７を組み立てる。次に、パネル部材３を準備し、図８Ａ（ａ）に図示するように、パネル部材３を長手方向中心線１１に沿って、着用者の皮膚に面する側の表面が内側になるように前後２つ折りする。２つ折りの状態で、重なり合っている、パネル３の長手方向に延びる端部１３、１５の第１の所定の位置Ｐ、Ｐ´から２つ折りされたときに形成される折畳み線、すなわち中心線１１に向って、パネル部材３の外方すなわち幅方向に延びる端部方向に、中心線１１にまで到達しない所定の位置まで斜線状に切りこむ。これによりまず２本の切込み線９がパネル部材３に形成されることになる。この手順と同じようにして、形成された切込み線９とまさに左右対称となるように、パネル部材３の重なり合った端部１３、１５の、第１の位置と対称となる第２の所定の位置Ｑ、Ｑ´から切込みを入れ、先に形成された切込み線と左右対称な切込み線９をさらに２本形成する。このようにして切込み線９が４本形成された２つ折りされている状態のパネル部材３を広げた状態を図８Ａ（ｂ）に示す。
【００４１】
図３のパネル３の展開図において説明したように、４本の切込み線９のパネル側の４つの終了点をそれぞれａ、ｂ、ａ´ｂ´とし、線ａｂ、ａ´ｂ´をそれぞれ底辺とする三角形を形成するように、最終点ａ、ａ´、ｂ、ｂ´から所定の角度をもって中心線１１線と交わる点を三角形の頂点としてｃ、ｃ´を求め、対称的な２つのほぼ同一の三角形ａｂｃ、ａ´ｂ´ｃ´を形成する。図８Ａ（ｂ）において２つの三角形ａｂｃ、ａ´ｂ´ｃ´は破線で示されている。このようにして形成された２つの三角形のそれぞれの辺２１、２５、２７、２１´、２５´、２７´がパネル部材３の折り込み線となる。後述するパネル３の組立て時において、これら三角形の折込みに伴い、三角形ａｂｃ、ａ´ｂ´ｃ´の底辺ａｂ、ａ´ｂ´を共通とし、三角形ａｂｃ、ａ´ｂ´ｃ´を１８０度回転させて形成される三角形ａｂｅ、ａ´ｂ´ｅ´もパネル３内部に折り込まれる。ｅ、ｅ´は、三角形ａｂｅ、ａ´ｂ´ｅ´の中心線１１上における頂点である。
【００４２】
図４（ａ）に図示するように、脚部弾性体３３、３５を配設する場合には、切込み線９を形成した後にホットメルト接着剤などにより接合し配置することが好ましい。しかし、弾性体３３、３５を配設する段階は、パネルを組み立てる段階であればいかなる段階においても配置することができる。
【００４３】
次いで、図８Ａ（ｃ）に図示するように、このようにして折り込み線が形成されたパネル３を、再び２つ折りし、切込み線９に沿って、パネル３を左右対称に分離しながら、折り込み線２１、２５、２７に沿ってパネル３の内側に折り込み、さらに、折り込み線２１´、２５´、２７´に沿ってパネル部材３の内側に折り込む。このとき、三角形ａｂｃ、ａ´ｂ´ｃ´がパネル３の内部に折り込まれると同時に、点ｃとｅ、点ｃ´とｅ´、とがそれぞれ重なり合うようにして三角形ａｂｅ、ａ´ｂ´ｅ´も折畳まれることになる。このようにして２つの三角形が折り込まれ、折畳まれることにより、この三角形領域が股領域におけるフラップとなる。また、線２１、２１´が中心線と交わる点をそれぞれｄ、ｄ´とすると、三角形の高さとなるｄｃ、ｄ´ｃ´、ｄｅ、ｄ´ｅ´が、パネル３の組み立て時のフラップの高さとなる。このようにして形成されるフラップは股領域における第２の立体ギャザーとしての機能を有する。弾性体３３が２１、２１´に隣接して配設されている場合、弾性体３３は、折り込み線２１、２１´とともに立ち上がり、フラップの頂部つまり線ｂｄ、ａｄ、ｂ´ｄ´、ａ´ｄ´に沿って位置することになる。従って、フラップが紙おむつの股領域における第２の立体ギャザーとなり、弾性体３３がこの立体ギャザーの頂部に配置されるために立体ギャザーの起立性を保持することになる。つまり、弾性体３３は、脚部からの排泄物の横もれを防ぐとともに、股領域の立体ギャザーの起立性を保持するという２つの機能を有することになる。
【００４４】
パネル部材３が、切込み線９により分離されることによりパネル部材３の幅方向のそれぞれの端部側において脚部領域２９が左右対称に２つ形成され、パネル部材３のほぼ中央には股領域３１が形成されるといった立体的構造のパネルとなる。立体構造となったパネル部材３において、２つ折りされた線すなわち中心線１１を中心として、着用者の前側と後側に対応する前後２つの対称的なパネルが形成される。図８Ａ（ｃ）からわかるように、股領域３１は、展開図８Ａ（ｂ）に図示した４つの切込み線９と線２１、２１´及び線ＰＱ，Ｐ´Ｑ´とによる８角形から形成されるが、この８角形のうち三角形ａｂｃ、ａ´ｂ´ｃ´領域がパネル３の内部に折り込まれるために立体的に組み立てると、股領域３１の前側は線ＰＱ，２つの切込み線９と、線ｂｃ、ｂ´ｃ´、及び線ｃ‐ｃ´とからなる６角形となる。同様に、股領域３１の後側は、線Ｐ´Ｑ´、２つの切込み線９、線ａｃ、ａ´ｃ´及び線ｃ−ｃ´とからなる６角形となる。股領域３１において、中心線１１のうちｃ‐ｃ´の領域が着用者の股部分に対応する部分となる。脚部２９において、着用者の内股側に対応する２つの部分は、それぞれ中心線１１の、組み立てられて重なり合う点ｃ、ｅと、点ｃ´、ｅ´からそれぞれ中心線１１の幅方向に延びる端部１７、１９における終了点までの距離である。そして、長辺１３、１５上の点Ｐ、Ｑ、Ｐ´、Ｑ´からそれぞれの股領域とは反対側に延びる長辺１３、１５の端部終了点までの距離、すなわち図８Ａ（ｂ）に図示するようにＬ１、Ｌ２、Ｌ３、Ｌ４が脚部領域２９の着用者の脚部外側に対応する部分の長さとなり、これらの長さは全て等しい。
【００４５】
図４（ｂ）に図示するパネル３は、脚部弾性体３３、３５が配置されたパネル３を組み立て、立体的構造となったパネル３を表している。図４（ｂ）の場合、図４（ａ）に図示した弾性体の配置状態のときに、パネル３が組み立てられたときの弾性体の位置関係を表している。図４（ｂ）において、弾性体３３は着用者の脚の付け根あたりとフラップの頂部とに位置し、弾性体３５は着用者の太ももあたりに位置するようになる。
【００４６】
パネル３を立体的な股及び脚部パネルに形成するのにパネル３を前後２つ折りし切りこむという最初の段階の代替方法としては、パネル３を２つ折りすることなくパネル３を展開したままの状態で所定の位置に切込み線を形成し、次いで折畳み線を形成することも可能である。つまり、図８Ａ（ｂ）に図示するパネル３において、切込み線９を所定の位置に左右上下対称に４本形成し、４本の切込み線９のパネル側の４つの終了点をそれぞれａ、ｂ、ａ´ｂ´とし、線ａｂ、ａ´ｂ´をそれぞれ底辺とする三角形を形成するように、最終点ａ、ａ´、ｂ、ｂ´から所定の角度をもって中心線１１線と交わる点を三角形の頂点としてｃ、ｃ´を求め、対称的な２つのほぼ同一の三角形ａｂｃ、ａ´ｂ´ｃ´を形成するといった手順を行うことができるのであれば、いかなる手順を採用してもよい。
【００４７】
図８Ａ（ｃ）、４（ｂ）をもう一度参照すると、切込み線９により股部上側における股部と脚部との間の分離領域に谷形の境界線が形成されることになる。この谷形の境界線は後に腹部パネルと結合される部分となる。切り込まれてから、パネル３を三角形状に内側に折り込むことにより、股領域３１と脚部領域２９との下側の境界線、つまり脚部と股との付け根領域が形成されることになる。図８Ｂ（ｄ）はこのようにして組み立てられて股及び脚部パネル３として機能するようになったパネル３の股領域３１のほぼ中央に吸収パッド７を配置した状態を表す。
【００４８】
次に、このように組み立てられたパネル３の上側に腹部パネル５を組合せ結合する状態を図８Ｂ（ｅ）、（ｆ）に示しており、図８Ｂ（ｅ）は、図５（ｂ）の腹部パネル５を使用した場合であり、図８Ｂ（ｆ）は図５（ａ）のパネル５を使用した場合を表している。図８Ｂ（ｅ）、（ｆ）において、パネル３の上側端部と腹部パネル５の下側端部との結合部分および、吸収パッド７と腹部パネル５の結合部分とを、ホットメルト接着剤を使用して接合するか、またはヒート接合により接合する。接合手段は、これらに限ることなく本分野において公知の方法を用いることももちろん可能である。また、図５（ｄ）に図示したように弾性体５１が結合されている腹部パネル５をパネル３と組合せ、接合する場合も同様の方法で行われる。このようにして最終的に組み立てられた本実施例の使い捨ておむつの概略図が図２（ｃ）、（ｄ）に図示されており、股及び脚部パネル３と腹部パネル５との接合された領域が太線で図示されている。
【００４９】
図５（ｂ）に図示したように２枚の腹部パネル４７、４９を用いる状態を図８Ｂ（ｇ）に図示する。吸収パッド７が配置されたパネル３の上側に組合されるようになっている、着用者の前後に対応する２枚の腹部パネル４７、４９の下側の端部とパネル３の上側端部と、吸収パッド７と腹部パネル４７、４９とを、ホットメルト接着剤を用いて接合するか、ヒート接合により接合する。この場合、腹部パネル４７、４９の着用者の脇側に対応する側部も接合される。接合方法はこれらに限定されるものではなく、公知の様々な手段を用いることが可能である。図５（ｄ）に図示したように弾性体５１が配置された腹部パネル４７、４９をパネル３に組合せる場合も同様にして、腹部パネル４７、４９がそれぞれパネル３と吸収パッド７とに接合される。このようにして最終的に形成された本実施例の使い捨ておむつの概略図が図２（ｂ）に図示されている。図２（ｂ）において股及び脚部パネル３と腹部パネル４７、４９、腹部パネル４７、４９が接合されている領域を太線で示している。
【００５０】
上述までの手順は、股及び脚部パネル３と腹部パネル５、または腹部パネル４７、４９により構成された本発明のトランクス型使い捨ておむつを形成する段階を説明したものであるが、次に別の実施例としてサイドパネル５３を利用した場合の手順を説明する。
【００５１】
サイドパネル５３を利用する場合には、パネル部材３を切込みと折り込みにより股及び脚部パネルに立体的に組み立て、これに吸収パッド７を配置し、腹部パネル５または２枚の腹部パネル４７、４９を配置する手順は上述した手順と同一であるので、説明が重複しないようここではこれらの手順の説明を省略する。従って、図８Ｂ（ｇ）のようにパネル３に腹部パネル４７、４９が配置された後に、図６（ｃ）に図示するように、２枚のサイドパネル５３が、使い捨ておむつの両側部、すなわち着用者の脇側に対応する領域に配置されるように、パネル３と腹部パネル４７、４９とに組合されて結合されるようになっている。具体的に説明すると、パネル３の上側端部と各前後腹部パネル４７、４９の下側端部とがそれぞれ結合されると、パネル３と腹部パネル４７、４９とが中心線１１を中心として一体となって、おむつの前後に相当するパネルが形成される。しかし、このように組み立てられたパネルは、該パネルの両側端部は接続されていない。従って、この一体となったパネルのおむつの側部に対応する端部と、各サイドパネル５３の両端部とがおむつの長手方向にわたり結合される。つまり、サイドパネル５３は、一体となった前後を有するパネルをおむつの側部においておむつの長手方向にわたり結合する機能を果すことになる。腹部パネル４７、４９には弾性体５１が配置されていることが好ましい。このようにしてパネル３、各腹部パネル４７、４９及び各サイドパネル５３とが組み立てられた状態を図９（ａ）に図示する。パネル３の上側端部と腹部パネル４７、４９それぞれの下側端部が結合され、サイドパネル５３がそれぞれパネル３、腹部パネル４７、４９とに組合わされて結合されるときには、ホットメルト接着剤により接合するか、ヒート接合により接合すればよいが、もちろん公知の別の手段で結合してもよい。このようにして最終的に接合されて完成した本実施例のトランクス型使い捨ておむつを表す図が図９（ｂ）である。図９（ｂ）において、太線で図示されている部分が接合された部分であり、この接合部分は、おむつの高さ方向にわたり前側、後側の一部と、股領域以外のおむつの前後腹部領域の一部に形成されている。
【００５２】
また、図６（ｂ）、（ｃ）のように、１枚の腹部パネル５を使用する場合には、結合手段は、２枚の腹部パネルを使用する場合と同じなので、これ以上説明しないが、腹部パネル５が股及び脚部パネル３と組合されて接合された状態を図９（ｃ）、（ｄ）にそれぞれ表す。図９（ｃ）、（ｄ）において、太線で図示されている部分が接合された部分である。この接合部分は、おむつの高さ方向の前側、後側の下方に及ぶ一部と、おむつの股領域以外の腹部幅方向の一部に形成されている。
【００５３】
図９（ｂ）、（ｃ）、（ｄ）のいずれの場合においても、パネルの接合部分が使い捨ておむつの股領域や、側部領域においては形成されていない。
【００５４】
サイドパネル５３は、伸縮性を有する材料から形成されるために、本実施例において使い捨ておむつの両側部に、おむつの長手方向の少なくとも一部にわたりサイドパネル５３をそれぞれ配置することにより、着用者の腰、脚周りの寸法がある程度の範囲内で調整可能となり、腹部パネルに弾性体を配置しない場合であっても、また腹部パネルに弾性体を配置する場合であっても、さらに着用者への密着性及びフィット性が向上する。また、サイドパネル５３は通気性を有する材料を採用する場合には使い捨ておむつ内部に排出物を保持した場合などのむれを防ぐことができる。また、サイドパネル５３を採用することにより重ね合わせによる接合が可能となるためさらに使い捨ておむつの装着感が向上することになる。
【００５５】
本発明のトランクス型使い捨ておむつにおいて、例えば、図２、図４（ｂ）、図８Ａ（ｃ）、８Ｂ（ｄ）などを参照すればわかるように、パネル部材３を切込みと折り込みにより形成することにより、破線で図示されている２つの三角形の折り込み部分がパネル部材３におけるフラップとなり、吸収パッド７の第１の立体ギャザー３７とは別に、股領域において立体ギャザー３７の外側に第２の立体ギャザーが形成されることになる。このため、第１および第２の立体ギャザーにより、立体ギャザー３７のみの場合よりも排泄物の漏れを防ぐことができるようになる。さらに、本発明のトランクス型使い捨ておむつにおいて、第２の立体ギャザーの頂部には脚部弾性体の一部が存在するために、第２の立体ギャザーの起立性を保持することになるのでさらに漏れを防ぐ機能が高まるといった大きな利点を有するものである。
【００５６】
【発明の効果】
このように組み立てられた図２または図９に図示した本発明のトランクス型使い捨て紙おむつの接合状態と図１に表す従来技術の紙おむつの接合状態とを比較すると、本発明と従来技術の各パネルの接合領域、すなわち接合領域が全く相違することが明白である。すなわち、従来技術の紙おむつでは、各パネルの接合領域が股から内股領域及びおむつ側部にわたり形成されているが、本発明の紙おむつでは、股及び脚部パネルとして１枚のパネル部材を、切込み、折り込むといった方法から形成されているために接合領域が内股から股部分にかけて形成されず、着用者の皮膚に影響を及ぼさないような領域に形成されているのみである。従って、本発明の紙おむつの着用により接合部分が当接することによる着用時の不快感や皮膚への刺激を低減させることが可能となり、着用感がかなり向上することになる。
【００５７】
また、股領域において内装されている吸収パッド７の立体ギャザーのほかにパネル部材３を折り込むことにより、第２のフラップが形成され、これが第２の立体ギャザーとなり、さらにギャザーの頂部近くには脚部弾性体の一部が存在するためにギャザーの起立性が保持され、吸収パッド７に吸収され保持される人体排出物が漏れにくい構造となる。
【００５８】
さらに、本発明の紙おむつは、股及び脚部パネルにより脚部を有するトランクス型となり、さらにこの脚部には弾性体が設けられているために、従来のパンツ型紙おむつに較べると、排出物の横もれが低減する。
【００５９】
これに加え、本発明の使い捨ておむつにおいて、通気性があり、伸縮性のあるサイドパネルを取りつけることにより、着用者の胴周り、脚周りにおいてサイズの調整可能が容易となり、１つの寸法のおむつであっても所定の範囲内の様々な大きさの着用者にも対応できると同時に、蒸れを防ぐことができるものである。
【００６０】
また、本発明の使い捨ておむつは、股及び脚部パネルを切込み、折込むといった容易な手段により構成されているために製造コストを削減できるといった大きな利点を有する。
【００６１】
さらに、サイドパネルを利用する場合には、股及び脚部パネルと腹部パネルとの大きさを変更することなく、サイドパネルの寸法を変更することによりおむつのサイズ変更を容易に行うことができる。従って、おむつの製造工程において、おむつのサイズ替えの手間が少なくなり、製造コストあるいは製造時間といった多くの利点を得るがことができる。
【００６２】
このように、本発明のトランクス型紙おむつは、従来の紙おむつと比較して着用時の着け心地の良さが向上するとともに、排泄物の漏れをさらに防ぐことができるようになったものである。
【００６３】
本発明のトランクス型使い捨ておむつは成人用として実施例において記載してきたが、幼児のトイレットトレーニングパンツなどにも利用することも可能である。なお、本実施例において、開示した寸法、材料、形状などを含む全てのことは、これらに限定されるものではなく、当業者であれば適宜変更可能であるような例を全て含むものである。
【図面の簡単な説明】
【図１】図１は従来技術のトランクス型使い捨ておむつの概略図である。
【図２】図２（ａ）は、本発明の第１の実施例におけるおむつの概略図であり、図２（ｂ）、（ｃ）、（ｄ）は、別の実施例におけるおむつの接合状態を表す概略図である。
【図３】図３は、本発明の使い捨ておむつの股及び脚部パネルの展開図である。
【図４】図４は、本発明の使い捨ておむつの股及び脚部パネルの別の実施例における展開図であり、（ｂ）は、このパネルを組み立て立体的になったパネルの斜視図である。
【図５】図５（ａ）、（ｂ）、（ｃ）は、本発明使い捨ておむつの腹部パネルを表す図であり、図５（ｄ）はそれぞれの腹部パネルに弾性体を設けた状態を表す図である。
【図６】図６（ａ）、（ｂ）、（ｃ）は、本発明の使い捨ておむつのサイドパネル、股及び脚部パネル及び腹部パネルが組み立てられる前の状態を表す図である。
【図７】図７（ａ）は、本発明の使い捨ておむつに内装される吸収パッドの平面図であり、図７（ｂ）は、（ａ）のＸ‐Ｘ線に沿った吸収パッドの断面図である。
【図８】図８Ａ（ａ）から８Ｂ（ｇ）は、本発明の使い捨ておむつが組み立てられる手順を段階的に表す概略図である。
【図９】図９（ａ）、（ｂ）、（ｃ）、（ｄ）は、本発明の別の実施例の使い捨ておむつが最終的に組み立てられたときの接合状態を表す概略図である。
【符号の説明】
１  トランクス型使い捨ておむつ
３  股及び脚部パネル
５、４７、４９  腹部パネル
７  吸収パッド
９  切込み線
１１  中心線
１３、１５  長手方向端部
２１、２５、２７、２１´、２５´、２７´  折り込み線
２９  脚部領域
３１  股部領域
３３、３５  脚部弾性体
３７  立体ギャザー
５１  腹部弾性体
５３  サイドパネル
【図１】
2004159949.tif 000003
【図２】
2004159949.tif 000004
【図３】
2004159949.tif 000005
【図４】
2004159949.tif 000006
【図５】
2004159949.tif 000007
【図６】
2004159949.tif 000008
【図７】
2004159949.tif 000009
【図８Ａ】
2004159949.tif 000010
【図８Ｂ】
2004159949.tif 000011
【図９】
2004159949.tif 000012